【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
駆動部によって回転駆動され、駆動側端板に配置された渦巻状の駆動側壁体を有する駆動側スクロール部材と、
従動側端板に配置され、前記駆動側壁体に対応する従動側壁体を有し、該従動側壁体が前記駆動側壁体に対して噛み合わされることによって圧縮空間を形成する従動側スクロール部材と、
前記駆動側スクロール部材と前記従動側スクロール部材とが同じ方向に同一角速度で自転運動するように前記駆動側スクロール部材から前記従動側スクロール部材に駆動力を伝達する同期駆動機構と、
前記駆動側スクロール部材、前記従動側スクロール部材及び前記同期駆動機構を収容するハウジングと、
を備え、
前記駆動側スクロール部材は、第１駆動側端板と第１駆動側壁体とを有し、前記駆動部によって駆動される第１駆動側スクロール部と、第２駆動側端板と第２駆動側壁体とを有する第２駆動側スクロール部と、前記第１駆動側壁体と前記第２駆動側壁体との軸方向における先端同士が向かい合った状態で固定する壁体固定部と、を備え、
前記従動側スクロール部材は、前記従動側端板の一側面に設けられ、前記第１駆動側壁体と噛み合う第１従動側壁体と、前記従動側端板の他側面に設けられ、前記第２駆動側壁体と噛み合う第２従動側壁体と、を備え、
前記第１駆動側端板を間に介して配置され、前記第１従動側壁体の軸方向における先端側に対して第１サポート固定部にて固定されて前記第１従動側壁体とともに回転する第１サポート部材と、
前記第２駆動側端板を間に介して配置され、前記第２従動側壁体の軸方向における先端側に対して第２サポート固定部にて固定されて前記第２従動側壁体とともに回転する第２サポート部材と、
を備え、
前記ハウジングには、前記壁体固定部、及び／又は、前記第１サポート固定部、及び／又は、第２サポート固定部にアクセス可能な孔部が形成されていることを特徴とする両回転スクロール型圧縮機。
【請求項２】
前記孔部を封止する封止体を備えていることを特徴とする請求項１に記載の両回転スクロール型圧縮機。
【請求項３】
前記孔部は、複数設けられていることを特徴とする請求項１又は２に記載の両回転スクロール型圧縮機。
【請求項４】
前記孔部は、開放可能とされた前記ハウジングの端部とは反対側の端部に形成されていることを特徴とする請求項１から３のいずれかに記載の両回転スクロール型圧縮機。
【請求項５】
前記孔部は、前記第１駆動側壁体及び前記第２駆動側壁体の半径方向外側に突出するフランジ部に対して固定される前記壁体固定部、及び／又は、前記第１従動側壁体の外周側の前記先端に対して固定される前記第１サポート固定部、及び／又は、前記第２従動側壁体の外周側の前記先端に対して固定される前記第２サポート固定部にアクセス可能とされている請求項１から４のいずれかに記載の両回転スクロール型圧縮機。
【請求項６】
駆動部によって回転駆動され、駆動側端板に配置された渦巻状の駆動側壁体を有する駆動側スクロール部材と、
従動側端板に配置され、前記駆動側壁体に対応する従動側壁体を有し、該従動側壁体が前記駆動側壁体に対して噛み合わされることによって圧縮空間を形成する従動側スクロール部材と、
前記駆動側スクロール部材と前記従動側スクロール部材とが同じ方向に同一角速度で自転運動するように前記駆動側スクロール部材から前記従動側スクロール部材に駆動力を伝達する同期駆動機構と、
前記駆動側スクロール部材、前記従動側スクロール部材及び前記同期駆動機構を収容するハウジングと、
を備え、
前記駆動側スクロール部材は、第１駆動側端板と第１駆動側壁体とを有し、前記駆動部によって駆動される第１駆動側スクロール部と、第２駆動側端板と第２駆動側壁体とを有する第２駆動側スクロール部と、前記第１駆動側壁体と前記第２駆動側壁体との軸方向における先端同士が向かい合った状態で固定する壁体固定部と、を備え、
前記従動側スクロール部材は、前記従動側端板の一側面に設けられ、前記第１駆動側壁体と噛み合う第１従動側壁体と、前記従動側端板の他側面に設けられ、前記第２駆動側壁体と噛み合う第２従動側壁体と、を備え、
前記第１駆動側端板を間に介して配置され、前記第１従動側壁体の軸方向における先端側に対して第１サポート固定部にて固定されて前記第１従動側壁体とともに回転する第１サポート部材と、
前記第２駆動側端板を間に介して配置され、前記第２従動側壁体の軸方向における先端側に対して第２サポート固定部にて固定されて前記第２従動側壁体とともに回転する第２サポート部材と、
を備えた両回転スクロール型圧縮機の組立方法であって、
前記ハウジングに対して前記第１サポート部材又は前記第２サポート部材を組み付けた後に、前記ハウジングに形成された前記第１サポート固定部又は第２サポート固定部にアクセス可能な孔部を用いて、前記第１サポート固定部又は第２サポート固定部を固定することを特徴とする両回転スクロール型圧縮機の組立方法。
【請求項７】
駆動部によって回転駆動され、駆動側端板に配置された渦巻状の駆動側壁体を有する駆動側スクロール部材と、
従動側端板に配置され、前記駆動側壁体に対応する従動側壁体を有し、該従動側壁体が前記駆動側壁体に対して噛み合わされることによって圧縮空間を形成する従動側スクロール部材と、
前記駆動側スクロール部材と前記従動側スクロール部材とが同じ方向に同一角速度で自転運動するように前記駆動側スクロール部材から前記従動側スクロール部材に駆動力を伝達する同期駆動機構と、
前記駆動側スクロール部材、前記従動側スクロール部材及び前記同期駆動機構を収容するハウジングと、
を備え、
前記駆動側スクロール部材は、第１駆動側端板と第１駆動側壁体とを有し、前記駆動部によって駆動される第１駆動側スクロール部と、第２駆動側端板と第２駆動側壁体とを有する第２駆動側スクロール部と、前記第１駆動側壁体と前記第２駆動側壁体との軸方向における先端同士が向かい合った状態で固定する壁体固定部と、を備え、
前記従動側スクロール部材は、前記従動側端板の一側面に設けられ、前記第１駆動側壁体と噛み合う第１従動側壁体と、前記従動側端板の他側面に設けられ、前記第２駆動側壁体と噛み合う第２従動側壁体と、を備え、
前記第１駆動側端板を間に介して配置され、前記第１従動側壁体の軸方向における先端側に対して第１サポート固定部にて固定されて前記第１従動側壁体とともに回転する第１サポート部材と、
前記第２駆動側端板を間に介して配置され、前記第２従動側壁体の軸方向における先端側に対して第２サポート固定部にて固定されて前記第２従動側壁体とともに回転する第２サポート部材と、
を備えた両回転スクロール型圧縮機の組立方法であって、
前記ハウジングに対して前記第１駆動側スクロール部及び前記第２駆動側スクロール部を組み付けた後に、前記ハウジングに形成された前記壁体固定部にアクセス可能な孔部を用いて、前記壁体固定部を固定することを特徴とする両回転スクロール型圧縮機の組立方法。
【請求項８】
駆動部によって回転駆動され、駆動側端板に配置された渦巻状の駆動側壁体を有する駆動側スクロール部材と、
従動側端板に配置され、前記駆動側壁体に対応する従動側壁体を有し、該従動側壁体が前記駆動側壁体に対して噛み合わされることによって圧縮空間を形成する従動側スクロール部材と、
前記駆動側スクロール部材と前記従動側スクロール部材とが同じ方向に同一角速度で自転運動するように前記駆動側スクロール部材から前記従動側スクロール部材に駆動力を伝達する同期駆動機構と、
前記駆動側スクロール部材、前記従動側スクロール部材及び前記同期駆動機構を収容するハウジングと、
を備え、
前記駆動側スクロール部材は、第１駆動側端板と第１駆動側壁体とを有し、前記駆動部によって駆動される第１駆動側スクロール部と、第２駆動側端板と第２駆動側壁体とを有する第２駆動側スクロール部と、前記第１駆動側壁体と前記第２駆動側壁体との軸方向における先端同士が向かい合った状態で固定する壁体固定部と、を備え、
前記従動側スクロール部材は、前記従動側端板の一側面に設けられ、前記第１駆動側壁体と噛み合う第１従動側壁体と、前記従動側端板の他側面に設けられ、前記第２駆動側壁体と噛み合う第２従動側壁体と、を備え、
前記第１駆動側端板を間に介して配置され、前記第１従動側壁体の軸方向における先端側に対して第１サポート固定部にて固定されて前記第１従動側壁体とともに回転する第１サポート部材と、
前記第２駆動側端板を間に介して配置され、前記第２従動側壁体の軸方向における先端側に対して第２サポート固定部にて固定されて前記第２従動側壁体とともに回転する第２サポート部材と、
を備えた両回転スクロール型圧縮機の組立方法であって、
前記第１駆動側スクロール部及び前記第２駆動側スクロール部、前記第１サポート部材及び前記第２サポート部材を一体化して組立体を形成した後に、前記ハウジングに対して組み付けることを特徴とする両回転スクロール型圧縮機の組立方法。
【手続補正２】
【補正対象書類名】明細書
【補正対象項目名】００１４
【補正方法】変更
【補正の内容】
【００１４】
ハウジングの端部が開放可能とされている場合には、組立の際には開放可能な端部から各構成部品をハウジング内に挿入すればよい。しかし、ハウジング内に各構成部品をハウジング内に挿入して組み付けた後に、各構成部品にアクセスする必要が生じる場合がある。そこで、開放可能とされた端部とは反対側の端部に孔部を設けることで、ハウジング内に組み付けた各構成部品に対してアクセスすることができる。
また、前記孔部は、前記第１駆動側壁体及び前記第２駆動側壁体の半径方向外側に突出するフランジ部に対して固定される前記壁体固定部、及び／又は、前記第１従動側壁体の外周側の前記先端に対して固定される前記第１サポート固定部、及び／又は、前記第２従動側壁体の外周側の前記先端に対して固定される前記第２サポート固定部にアクセス可能とされていても良い。